(57)【要約】      （修正有）【課題】イベント等において効果的であり、不使用時にコンパクト化することが可能な着用ぬいぐるみにおいて、使用時の不快感をより一層緩和する。【解決手段】ぬいぐるみエアバッグは、人Ｍが入って動作することにより外形を変化させ得る内部空間と、人Ｍの内部空間への出入りを可能とする出入口と、内部空間と連通して外部に開き、外部の空気を内部空間内に取り入れるための給気口とを有している。送気ユニットは、バッテリ２１と、バッテリ２１によってファン４３が駆動され、吸入口４１ａから空気を吸い込むとともに、吐出口４１ｂから空気を吐き出すモータ式のブロア２２とを有し、内部空間内に入る人Ｍが装着する。吸気管３０は、給気口から内部空間内に延び、ブロア２２の吸入口４１ａに繋がる。送気ユニット又は吸気管３０が内部空間内に冷気を送気可能な保冷剤入りの市販のパック７０を着脱可能に構成されている。【選択図】図４
0003109075.tif 000002
【実用新案登録請求の範囲】
【請求項１】
人が入って動作することにより外形を変化させ得る内部空間と、該人の該内部空間への出入りを可能とする出入口と、該内部空間と連通して外部に開き、該外部の空気を該内部空間内に取り入れるための給気口とを有し、取り入れた空気によって該外形とともに該内部空間を膨張させ得るぬいぐるみエアバッグと、
バッテリと、該バッテリによってファンが駆動され、吸入口から空気を吸い込むとともに、吐出口から該空気を吐き出すモータ式のブロアとを有し、該内部空間内に入る該人が装着する送気ユニットと、
該ぬいぐるみエアバッグの該給気口から該内部空間内に延び、該送気ユニットにおける該ブロアの該吸入口に繋がる吸気管とを備えた着用ぬいぐるみにおいて、
前記送気ユニット及び前記吸気管の少なくとも一方は、前記内部空間内に冷気を送気可能な冷却材又は該内部空間内に暖気を送気可能な温熱材が着脱可能に構成されていることを特徴とする着用ぬいぐるみ。
【請求項２】
前記送気ユニット及び前記吸気管の少なくとも一方は、前記ブロアの騒音を低減する消音手段を有することを特徴とする請求項１記載の着用ぬいぐるみ。
【請求項３】
前記消音手段は、前記吸気管と前記吸入口との間に着脱可能に設けられるフィルタであることを特徴とする請求項２記載の着用ぬいぐるみ。
【請求項４】
前記送気ユニットは、前記人の前後の一方に前記バッテリが設けられ、該人の前後の他方に前記ブロアが設けられるようになっていることを特徴とする請求項１乃至３のいずれか１項記載の着用ぬいぐるみ。
【請求項５】
前記吸気管は、前記給気口側及び前記吸入口側の少なくとも一方が着脱可能に構成されていることを特徴とする請求項１乃至４のいずれか１項記載の着用ぬいぐるみ。
【請求項６】
バッテリと、該バッテリによってファンが駆動され、吸入口から空気を吸い込むとともに、吐出口から該空気を吐き出すモータ式のブロアとを有し、ぬいぐるみエアバッグの内部空間内に入る人が装着する着用ぬいぐるみ用送気ユニットにおいて、
前記内部空間内に冷気を送気可能な冷却材又は該内部空間内に暖気を送気可能な温熱材が着脱可能に構成されていることを特徴とする着用ぬいぐるみ用送気ユニット。
【請求項７】
ぬいぐるみエアバッグの給気口から内部空間内に延び、送気ユニットにおけるブロアの吸入口に繋がる着用ぬいぐるみ用吸気管において、
前記内部空間内に冷気を送気可能な冷却材又は該内部空間内に暖気を送気可能な温熱材が着脱可能に構成されていることを特徴とする着用ぬいぐるみ用吸気管。
【考案の詳細な説明】
【技術分野】
【０００１】
本考案は、着用ぬいぐるみと、着用ぬいぐるみ用送気ユニットと、着用ぬいぐるみ用吸気管とに関する。
【背景技術】
【０００２】
従来、特許文献１開示の着用ぬいぐるみが知られている。この着用ぬいぐるみは、ぬいぐるみエアバッグと、送気ユニットと、吸気管とを備えている。
【０００３】
ぬいぐるみエアバッグは、人が入って動作することにより外形を変化させ得る内部空間と、人の内部空間への出入りを可能とする出入口と、内部空間と連通して外部に開き、外部の空気を内部空間内に取り入れるための給気口とを有している。このぬいぐるみエアバッグは、取り入れた空気によって外形とともに内部空間を膨張させ得るようになっている。
【０００４】
送気ユニットは内部空間内に入る人が装着するものであり、これはバッテリと、このバッテリによって駆動されるモータ式のブロアとを有している。ブロアは、バッテリによってファンが駆動され、吸入口から空気を吸い込むとともに、吐出口から空気を吐き出すようになっている。
【０００５】
吸気管は、ぬいぐるみエアバッグの給気口から内部空間内に延び、送気ユニットにおけるブロアの吸入口に繋がるものである。特許文献１開示の吸気管はぬいぐるみエアバッグの給気口側が着脱可能に構成されている。
【０００６】
この着用ぬいぐるみは、送気ユニットを装着した人がぬいぐるみエアバッグの内部空間内に出入口から入り、ぬいぐるみエアバッグの給気口と送気ユニットにおけるブロアの吸入口とを吸気管により繋いで使用される。そして、内部空間内の人は、ブロアを駆動するためのバッテリも送気ユニットとして装着していることから、外部からの電力が不要なそのバッテリによってそのブロアのファンを駆動することが可能である。
【０００７】
こうして、この着用ぬいぐるみでは、外気が給気口から吸気管及びブロアを経て内部空間内に吐き出されることから、その空気によって内部空間が膨張し、ぬいぐるみエアバッグの外形が大型化することとなる。内部空間からはある程度の空気は漏れるが、ブロアが継続して空気を取り入れることから、ぬいぐるみエアバッグの外形は維持される。また、ブロアによって取り入れた空気によって内部空間内の人の呼吸が損なわれることもない。
【０００８】
そして、この状態で内部空間内の人が様々な動作をすれば、その大型化したぬいぐるみエアバッグが同様の動作をすることとなり、イベント等において大きな効果を発揮することができる。また、この着用ぬいぐるみであれば、内部空間内に外気を取り入れているため、着用する人の不快感をやわらげることもできる。さらに、この着用ぬいぐるみは、不使用時にぬいぐるみエアバッグから送気ユニット及び吸気管を取り出すことが可能であり、ぬいぐるみエアバッグを折り畳むことによりコンパクト化することも可能である。
【０００９】
【特許文献１】実公平７−３００６６号公報
【考案の開示】
【考案が解決しようとする課題】
【００１０】
しかし、気温が高い例えば夏にそのような着用ぬいぐるみを着用する場合には、中の人は暑さをより感じ易い。特にこの場合、中の人は汗をかき、悪臭も生じて過酷な環境下におかれることとなる。また、気温が低い例えば冬にそのような着用ぬいぐるみを着用しようとする場合には、中の人は、ぬいぐるみエアバッグによってその寒さが緩和されるものの、送気ユニットによって常に外気が取り入れられることから、やはり寒さが避けられない。このため、この着用ぬいぐるみに対し、さらなる不快感の緩和が求められていた。
【００１１】
本考案は、上記従来の実情に鑑みてなされたものであって、イベント等において効果的であり、不使用時にコンパクト化することが可能な着用ぬいぐるみにおいて、使用時の不快感をより一層緩和することを解決すべき課題としている。
【課題を解決するための手段】
【００１２】
本考案の着用ぬいぐるみは、人が入って動作することにより外形を変化させ得る内部空間と、該人の該内部空間への出入りを可能とする出入口と、該内部空間と連通して外部に開き、該外部の空気を該内部空間内に取り入れるための給気口とを有し、取り入れた空気によって該外形とともに該内部空間を膨張させ得るぬいぐるみエアバッグと、
バッテリと、該バッテリによってファンが駆動され、吸入口から空気を吸い込むとともに、吐出口から該空気を吐き出すモータ式のブロアとを有し、該内部空間内に入る該人が装着する送気ユニットと、
該ぬいぐるみエアバッグの該給気口から該内部空間内に延び、該送気ユニットにおける該ブロアの該吸入口に繋がる吸気管とを備えた着用ぬいぐるみにおいて、
前記送気ユニット及び前記吸気管の少なくとも一方は、前記内部空間内に冷気を送気可能な冷却材又は該内部空間内に暖気を送気可能な温熱材が着脱可能に構成されていることを特徴とする。
【００１３】
本考案の着用ぬいぐるみも、送気ユニットを装着した人がぬいぐるみエアバッグの内部空間内に出入口から入り、ぬいぐるみエアバッグの給気口と送気ユニットにおけるブロアの吸入口とを吸気管により繋ぎ、バッテリによってブロアのファンを駆動することによって使用される。
【００１４】
この際、気温が高い例えば夏においては、送気ユニット又は吸気管に冷却材を装着する。こうした着用ぬいぐるみにおいては、外気がその冷却材によって冷やされ、冷気として内部空間内に送気されることとなる。このため、中の人は、涼しく、汗をかき難くなり、悪臭の少ない快適な環境下におかれることとなる。また、気温が低い例えば冬においては、送気ユニット又は吸気管に温熱材を装着する。こうした着用ぬいぐるみにおいては、外気がその温熱材によって暖められ、暖気として内部空間内に送気されることとなる。なお、冷気も暖気も必要ない時には、冷却材や温熱材を外せばよい。こうして、この着用ぬいぐるみにおいて、不快感の緩和が実現される。
【００１５】
したがって、この着用ぬいぐるみは、イベント等において効果的であり、不使用時にコンパクト化することが可能であるとともに、使用時の不快感をより一層緩和することができる。
【００１６】
ぬいぐるみエアバッグは、人が入って動作することにより外形を変化させ得る内部空間と、人の内部空間への出入りを可能とする出入口と、内部空間と連通して外部に開き、外部の空気を内部空間内に取り入れるための給気口とを有する。そして、このぬいぐるみエアバッグは、取り入れた空気によって外形とともに内部空間を膨張させ得る。このぬいぐるみエアバッグは、通気性がない膜材又は通気性が殆どない膜材によりバルーン状に形成できる。具体的には、ナイロンシート、ビニールシート等のシート等を膜材として採用することができる。出入口にファスナを採用した場合には、少なくともファスナ上の外部側にぬいぐるみエアバッグと一体にされたひれ部等を設けてファスナを隠蔽することが好ましい。これにより、着用ぬいぐるみを外部から見た際にはファスナを目立たせなくすることができ、内部空間の気密性を向上させることもできる。また、ファスナ上の内部空間側にも同様のひれ部等を設けることが好ましい。これにより、内部空間の気密性を向上させることができる。さらに、ファスナ自体が気密性の高いものであればより好ましい。ファスナは外部側及び内部空間側にスライダをもつものであることが好ましい。
【００１７】
送気ユニットは、バッテリと、このバッテリによってファンが駆動され、吸入口から空気を吸い込むとともに、吐出口から空気を吐き出すモータ式のブロアとを有する。送気ユニットは内部空間内に入る人が装着するものである。このため、送気ユニットは、人が動き易いように、バッテリやブロアをリュックサック等内に収納したものであることが好ましい。
【００１８】
吸気管は、ぬいぐるみエアバッグの給気口から内部空間内に延び、送気ユニットにおけるブロアの吸入口に繋がるものである。吸気管は、人の動きが容易になるように、容易に撓むべく蛇腹が形成されたフレキシブルホースであることが好ましい。
【００１９】
冷却材は内部空間内に冷気を送気可能なものである。冷却材としては、保冷剤入りの市販のパック、ドライアイス、氷等を採用することができる。ドライアイスを用いる場合には、直接そのドライアイスに人が触れて凍傷を生じないように注意することが必要である。また、密閉容器にドライアイスを入れると、昇華した二酸化炭素によってその容器が破裂する危険があるので注意が必要である。また、従来の着用ぬいぐるみのように、内部空間が密閉されている場合には、二酸化炭素によって酸欠を生じないようにする必要があるが、本考案の着用ぬいぐるみは、ぬいぐるみエアバッグの外形を維持するために内部空間内に順次新しい空気を取り入れていることから、酸欠を生じる懸念は低い。また、氷を冷却材として用いる場合には、融解した後の水によって内部空間が汚染されることを防止するため、氷を袋詰めにしておくことが好ましい。
【００２０】
なお、ぬいぐるみエアバッグを構成する膜材、送気ユニットのリュックサック等の生地及び吸気管の少なくとも一つが特開平９−１７０１７６号公報等に開示された涼感性繊維であることもできる。
【００２１】
温熱材は内部空間内に暖気を送気可能なものである。温熱材としては、使い捨て懐炉等を採用することができる。
【００２２】
本考案の着用ぬいぐるみは、これら冷却材又は温熱材が送気ユニット及び吸気管の少なくとも一方に着脱可能に構成されている。このため、冷気や暖気が必要な場合に冷却材や温熱材を装着し、これらが必要ない場合にはそれらを外すことも可能になっている。
【００２３】
本考案の着用ぬいぐるみは、それら冷却材や温熱材を装着する代わりに、またこれらとともに、マイナスイオンや酸素を発生させる装置、殺菌、除菌、消臭、脱臭、芳香、除湿等のための装置等を送気ユニット及び吸気管の少なくとも一方に装着することも可能である。これらの場合、外気がそれらの装置等を経て内部空間内に送気されることとなるため、内部空間がより一層快適な環境下におかれることとなる。例えば殺菌等のための装置としては、オゾン発生装置や紫外線照射装置等を送気ユニット及び吸気管の少なくとも一方に装着することが可能である。なお、ぬいぐるみエアバッグを構成する膜材、送気ユニットのリュックサック等の生地や吸気管に抗菌剤入りのものを用いることもできる。
【００２４】
ブロアはモータ式であることから騒音を生じ易い。この騒音の多くは吸気管を経て外部に伝達する。このため、送気ユニット及び吸気管の少なくとも一方はブロアの騒音を低減する消音手段を有することが好ましい。この場合、内部空間内に入る人の不快感だけでなく、周囲の人の不快感も緩和することができる。特に、この着用ぬいぐるみを使用したイベント等がテレビやラジオにより生放送され、感度のよい集音用のマイクロホンを持つ司会者等が着用ぬいぐるみに近づくような場合には、そのマイクロホンによって騒音が聞こえ易くなるため、このように消音手段を有することが好ましい。
【００２５】
消音手段としては、ポリエステル等の不織布等からなるフィルタを採用することができる。このフィルタは、給気口と吸気管との間、吸気管内及び／又は吸気管と吸入口との間に容易に設けられ得る。また、消音手段がフィルタであれば、外気をろ過して内部空間に取り入れ、内部空間を清浄に保つこともできる。フィルタは着脱可能であることが好ましい。これにより、フィルタを容易に交換、清掃等することが可能になる。なお、フィルタを給気口と吸気管との間、吸気管内及び／又は吸気管と吸入口との間に設けることにより、ブロアの吸気能力が低下するのであれば、モータを高出力化することが好ましい。
【００２６】
送気ユニットは、人の前後の一方にバッテリが設けられ、人の前後の他方にブロアが設けられるようになっていることが好ましい。これにより、送気ユニットはバッテリとブロアとがバランスし、人が体感する重量を軽減することができる。そして、バッテリやブロアを人の体に密着させることも好ましい。これにより、人が激しい動作をしても、これらが人と一体に移動するため、それらの重量が気になり難い。そのため、送気ユニットは、バッテリやブロアをリュックサック等内に収納したものであることが好ましい。
【００２７】
なお、ブロアをＯＮ／ＯＦＦしたり、吸気量を調整したりするためのスイッチは、人の前方、特に人の手元に配設されていることが好ましい。これにより、そのスイッチの操作性が向上する。
【００２８】
吸気管は、ぬいぐるみエアバッグの給気口側及びブロアの吸入口側の少なくとも一方が着脱可能に構成されていることが好ましい。これにより、ぬいぐるみエアバッグや送気ユニットと吸気管とを容易に着脱でき、使用及び収納に便宜だからである。吸気管を給気口や吸入口に着脱可能に構成するためには、吸気管と給気口との間や吸気管と吸入口との間を面ファスナで固定するようにすることができる。
【００２９】
本考案は着用ぬいぐるみを構成する送気ユニット又は吸気管としても構成される。
【００３０】
本考案の着用ぬいぐるみ用送気ユニットは、バッテリと、該バッテリによってファンが駆動され、吸入口から空気を吸い込むとともに、吐出口から該空気を吐き出すモータ式のブロアとを有し、ぬいぐるみエアバッグの内部空間内に入る人が装着する着用ぬいぐるみ用送気ユニットにおいて、
前記内部空間内に冷気を送気可能な冷却材又は該内部空間内に暖気を送気可能な温熱材が着脱可能に構成されていることを特徴とする。この送気ユニットによって、本考案の着用ぬいぐるみを実現できる。
【００３１】
本考案の着用ぬいぐるみ用吸気管は、ぬいぐるみエアバッグの給気口から内部空間内に延び、送気ユニットにおけるブロアの吸入口に繋がる着用ぬいぐるみ用吸気管において、
前記内部空間内に冷気を送気可能な冷却材又は該内部空間内に暖気を送気可能な温熱材が着脱可能に構成されていることを特徴とする。この吸気管によって、本考案の着用ぬいぐるみを実現できる。
【考案を実施するための最良の形態】
【００３２】
以下、本考案を具体化した実施例１〜３を図面を参照しつつ説明する。
【実施例１】
【００３３】
図１に示すように、実施例１の着用ぬいぐるみは、ぬいぐるみエアバッグ１０と、送気ユニット２０と、吸気管３０とからなる。
【００３４】
ぬいぐるみエアバッグ１０はナイロンシートによりバルーン状に形成され、その外形はキャラクタとされている。このぬいぐるみエアバッグ１０は、人Ｍが入って動作することにより外形を変化させ得る内部空間１０ａと、図２に示すように、人Ｍの内部空間１０ａへの出入りを可能とする出入口１０ｂと、図１及び図２に示すように、内部空間１０ａと連通して外部に開き、外部の空気を内部空間１０ａ内に取り入れるための給気口１０ｃとを有している。出入口１０ｂは上記特許文献１記載のものと同様のものであり、そこには外部側及び内部空間側にスライダをもつファスナが設けられ、ファスナ上の内部空間１０ａ側と外部側とにはナイロン製のひれ部がファスナを隠蔽する位置に設けられている。
【００３５】
図１に示すように、内部空間１０ａ内に入る人Ｍが送気ユニット２０を背負うこととしている。この送気ユニット２０は、図３に示すように、バッテリ２１と、モータ式のブロア２２と、これらを収納するリュックサック２３とを有している。バッテリ２１はリュックサック２３の前部に収納されており、ブロア２２はリュックサック２３の後部に収納されている。なお、ブロア２２をリュックサック２３の前部に収納し、バッテリ２１をリュックサック２３の後部に収納してもよい。
【００３６】
バッテリ２１は１２Ｖの軽量のものである。ブロア２２では、図４に示すように、調整器等を内蔵したモータ４２がハウジング４１に固定されており、モータ４２の回転軸４２ａには固定部材４３ａによりシロッコファン４３がハウジング４１内で回転可能に固定されている。シロッコファン４３は回転によって内周側から外周側に送風できるようになっている。ハウジング４１は、シロッコファン４３の内周側に軸方向で連通する吸入口４１ａと、シロッコファン４３の外周側に径方向で連通する吐出口４１ｂとを有している。吐出口４１ｂにはメッシュ４５が嵌合されている。
【００３７】
ハウジング４１は吸入部材４６を備えており、吸入部材４６は吸入口４１ａと同軸のボス４６ａを有している。ハウジング４１と吸入部材４６とは吸入口４１ａとボス４６ａとを整合させた状態でねじ４７によって固定されている。ハウジング４１及び吸入部材４６は吸入部材４６がリュックサック２３の開口２３ａから突出した状態でリュックサック２３の底面に位置されている。また、吸入部材４６のボス４６ａの内周にはメッシュ４４が嵌合されている。
【００３８】
ハウジング４１の吸入口４１ａとは逆側にはメッシュケース４８が着脱可能に保持されている。気温が高い例えば夏においては、メッシュケース４８内に冷却材としての保冷剤入りの市販のパック７０を収納することとしている。
【００３９】
図１及び図３に示すバッテリ２１は図示しないリード線により図４に示すモータ４２に接続されている。また、モータ４２は、図３に示すように、人の手元のスイッチ４９まで延びるリード線４９ａと接続されている。スイッチ４９は、ブロア２２のＯＮ／ＯＦＦと、吸気量の調整とを行なうことができるようになっている。
【００４０】
吸気管３０は蛇腹が形成されたフレキシブルホースからなる。この吸気管３０は、図１に示すように、ぬいぐるみエアバッグ１０の給気口１０ｃから内部空間１０ａ内に延び、図４に示すように、ブロア２２の吸入口４１ａに繋がっている。
【００４１】
吸気管３０の一端側の外周面には面ファスナ５１のメス部材５１ａが固定されている。また、吸入部材４６のボス４６ａの外周面にも面ファスナ５１のメス部材５１ｂが固定されている。面ファスナ５１のオス部材５１ｃはリュックサック２３の底面に予め縫い付けられている。
【００４２】
また、メッシュ４４の外面にはゴム紐６１が径方向に延びて設けられており、メッシュ４４と当接するように設けられたポリエステルの不織布からなるフィルタ６２がこのゴム紐６１によって固定されている。
【００４３】
図５に示すように、ぬいぐるみエアバッグ１０は、給気口１０ｃ回りが内部空間１０ａ側に筒状に屈曲されてボス１０ｄとされている。ボス１０ｄの内周面には面ファスナ５２のオス部材５２ｃが設けられている。ボス１０ｄ及びオス部材５２ｃは径方向に二分されている。吸気管３０の他端側にはメッシュ１２が固定されており、この外周面にも面ファスナ５２のメス部材５２ａが固定されている。
【００４４】
実施例１の着用ぬいぐるみは以下のように使用される。まず、人Ｍが送気ユニット２０のリュックサック２３を背負い、出入口１０ｂからぬいぐるみエアバッグ１０内に入る。このとき、送気ユニット２０の吸入部材４６のボス４６ａには面ファスナ５１によって吸気管３０の一端が固定されている。そして、吸気管３０の他端をぬいぐるみエアバッグ１０のボス１０ｄに面ファスナ５２によって固定した後、出入口１０ｂのファスナを閉める。ファスナ上の内部空間１０ａ側と外部側とにはひれ部が設けられているため、ファスナが隠蔽されるとともに、内部空間１０ａ内の気密性が向上されている。
【００４５】
そして、スイッチ４９をＯＮにすることによって、ブロア２２を駆動する。この際、スイッチ４９が手元にあるため、高い操作性を発揮する。そして、外気が給気口１０ｃ、吸入管３０、吸入口４１ａ及び吐出口４１ｂを経て内部空間１０ａに吐き出される。このため、その空気によってぬいぐるみエアバッグ１０は内部空間１０ａが膨張し、ぬいぐるみエアバッグ１０の外形が大型化する。内部空間１０ａからはある程度の空気は漏れるが、ブロア２２が継続して空気を取り入れることから、ぬいぐるみエアバッグ１０の外形は維持される。また、ブロア２２によって取り入れた空気によって内部空間１０ａ内の人Ｍの呼吸が損なわれることもない。
【００４６】
そして、この状態で内部空間１０ａ内の人Ｍが様々な動作をすれば、その大型化したぬいぐるみエアバッグ１０が同様の動作をすることとなり、イベント等において大きな効果を発揮することができる。
【００４７】
このとき、人Ｍの前方にバッテリ２１が位置し、人Ｍの後方にブロア２２が位置する送気ユニット２０を採用しているため、バッテリ２１とブロア２２とがバランスし、人Ｍが体感する重量を軽減することができる。特に、人Ｍが送気ユニット２０を背負っているため、バッテリ２１やブロア２２が体に密着し、人Ｍは容易に動くことができる。また、吸気管３０は、フレキシブルホースであるため、その人Ｍの動きの邪魔にならない。
【００４８】
また、この着用ぬいぐるみであれば、内部空間１０ａ内に外気を取り入れているため、着用する人の不快感をやわらげることもできる。特に、この着用ぬいぐるみでは、送気ユニット２０のハウジング４１に保冷剤入りの市販のパック７０が装着されているため、ハウジング４１がそのパック７０によって冷やされ、空気がハウジング４１によって冷やされ、冷気として内部空間１０ａ内に送気されることとなる。このため、中の人は、涼しく、汗をかき難くなり、悪臭の少ない快適な環境下におかれることとなる。こうして、この着用ぬいぐるみにおいて、不快感の緩和が実現される。
【００４９】
さらに、この着用ぬいぐるみは、不使用時に人Ｍがぬいぐるみエアバッグ１０から出ることにより送気ユニット２０を取り出し、かつ面ファスナ５１、５２を外すことによりぬいぐるみエアバッグ１０から吸気管３０も取り出すことが可能である。こうして、この着用ぬいぐるみは、ぬいぐるみエアバッグ１０を折り畳むことによりコンパクト化することが可能となる。
【００５０】
したがって、この着用ぬいぐるみは、イベント等において効果的であり、不使用時にコンパクト化することが可能であるとともに、使用時の不快感をより一層緩和することができる。
【００５１】
また、この着用ぬいぐるみでは、ゴム紐６１によって吸気管３０と吸入口４１ａとの間にフィルタ６２を固定しているため、ブロア２２の騒音を低減することができる。このため、内部空間１０ａ内に入る人Ｍの不快感だけでなく、周囲の人の不快感を緩和することもできる。特に、この着用ぬいぐるみを使用したイベント等がテレビやラジオにより生放送され、感度のよい集音用のマイクロホンを持つ司会者等が着用ぬいぐるみに近づくような場合でも、ブロア２２の騒音をこのフィルタ６２で消音することができ、そのマイクロホンによっても騒音が聞こえ難い。また、フィルタ６２が汚れたり、不要な場合にはゴム紐６１によって容易にこれを外すこともできる。
【実施例２】
【００５２】
実施例２の着用ぬいぐるみは、図６に示すように、ブロア２２の吐出口１４１ｂに筒状の吐出部材５３が固定されており、吐出部材５３の内周面にテープ３１等によって保冷剤入りの市販のパック７０が固定されている。他の構成は実施例１と同様である。
【００５３】
この着用ぬいぐるみでは、送気ユニット２０の吐出部材５３に保冷剤入りの市販のパック７０が装着されているため、吐出部材５３を通る空気がそのパック７０によって冷やされ、冷気として内部空間１０ａ内に送気されることとなる。他の作用効果は実施例１と同様である。
【実施例３】
【００５４】
実施例３の着用ぬいぐるみは、図７に示すように、吸気管３０の外周面にテープ３２等によって保冷剤入りの市販のパック７０が固定されている。
【００５５】
この着用ぬいぐるみでは、吸気管３０に保冷剤入りの市販のパック７０が装着されているため、吸気管３０を通る空気がそのパック７０によって冷やされ、冷気として内部空間１０ａ内に送気されることとなる。他の作用効果は実施例１と同様である。
【００５６】
なお、上記実施例１〜３において、気温が低い例えば冬においては、送気ユニット２０又は吸気管３０に使い捨て懐炉等の温熱材を装着すればよい。こうした着用ぬいぐるみにおいては、外気がその温熱材によって暖められ、暖気として内部空間１０ａ内に送気されることとなる。冷気も暖気も必要ない時は、冷却材や温熱材を外せばよい。
【００５７】
以上において、本考案を実施例１〜３に即して説明したが、本考案は上記実施例１〜３に制限されるものではなく、その趣旨を逸脱しない範囲で適宜変更して適用できることはいうまでもない。
【産業上の利用可能性】
【００５８】
本考案はイベント等に着用されるぬいぐるみに利用可能である。
【図面の簡単な説明】
【００５９】
【図１】実施例１〜３に係り、着用ぬいぐるみの模式断面図である。
【図２】実施例１〜３に係り、着用ぬいぐるみの背面図である。
【図３】実施例１〜３に係り、図１の拡大図である。
【図４】実施例１に係り、ブロア、吸気管等の模式拡大断面図である。
【図５】実施例１に係り、吸気管及びぬいぐるみエアバッグの模式拡大断面図である。
【図６】実施例２に係り、ブロア、吸気管等の模式拡大断面図である。
【図７】実施例３に係り、吸気管の模式拡大断面図である。
【符号の説明】
【００６０】
Ｍ…人
１０ａ…内部空間
１０ｂ…出入口
１０ｃ…給気口
１０…ぬいぐるみエアバッグ
２１…バッテリ
４３…ファン
４１ａ…吸入口
４１ｂ…吐出口
４２…モータ
２２…ブロア
２０…送気ユニット
３０…吸気管
７０…冷却材（保冷剤入りの市販のパック）
６２…消音手段（フィルタ）
【図１】
0003109075.tif 000003
【図２】
0003109075.tif 000004
【図３】
0003109075.tif 000005
【図４】
0003109075.tif 000006
【図５】
0003109075.tif 000007
【図６】
0003109075.tif 000008
【図７】
0003109075.tif 000009